(57)【特許請求の範囲】
【請求項１】
固体発光素子を光源とするランプであって、
発光面を上底とするとき、当該上底と略平行な任意の断面の形状が略同一形状である柱形状における、側面に相当する外壁部分と、当該外壁部分により囲まれた空間を２つの部分空間に分割する、当該上底と略平行な仕切り板とを含む、金属製の筐体と、
前記固体発光素子を含み、前記２つの部分空間のうちの、前記上底側の第１部分空間に配置され、前記仕切り板の上底側の面に設置されている発光モジュールと、
前記２つの部分空間のうちの、前記上底とは反対側の第２部分空間に配置され、前記固体発光素子を駆動して発光させる駆動回路と、
前記駆動回路を収納する絶縁ケースとを備え、
前記仕切り板は、前記第１部分空間の方が、前記第２部分空間よりも狭くなる位置に形成されており、
前記第２部分空間が略四角柱形状で、且つ前記絶縁ケースの外形が円筒形であることを特徴とする、ランプ。
【請求項２】
前記筐体において、
前記外壁部分と前記仕切り板とは、同一の金属材料により、一体成形されていることを特徴とする請求項１に記載のランプ。
【請求項３】
当該ランプは、さらに、
各種外部電気器具との電気的な接続に寄与する各種接続端子のうちの、少なくとも１つを含む接続端子部を備えることを特徴とする請求項１に記載のランプ。
【請求項４】
前記駆動回路は、
電力の供給を受ける１個の入力コネクタを含み、
前記接続端子部は、
複数の種類があり、それぞれが各種接続端子のうちの１つを含み、
複数種類の前記接続端子部は、工具を用いることなくワンタッチで前記入力コネクタと接続できる共通の出力コネクタを含むことを特徴とする請求項３に記載のランプ。
【請求項５】
前記接続端子部は、ライティングレールに接続されるライティングレール用プラグを含み、
複数個の当該ランプを隣接させて、ライティングレールに取り付けることにより、一体化した光源となることを特徴とする請求項３に記載のランプ。
【請求項６】
複数個の当該ランプを隣接させて、複数列のライティングレールに取り付けることにより、任意の範囲を略面光源とすることを特徴とする請求項５に記載のランプ。
【請求項７】
前記筐体は、前記上底と略平行な任意の断面の形状が正方形、長方形、菱型、平行四辺形、又は正六角形であり、
任意の範囲を略面光源とする際に、隣り合うランプ間において、前記筐体の外壁部分の一面同士を対面させて近接させることにより、複数個の当該ランプの全てが一体化した光源となることを特徴とする請求項６に記載のランプ。
【請求項８】
前記発光モジュールは、表面に配線パターンを有する基盤上に前記固体発光素子がマウントされており、
当該ランプは、さらに、
前記固体発光素子が発する光のうちの、前記上底方向とは異なる方向へ向かう光を反射して、上底方向へと向かわせるとともに、前記固体発光素子が発する光が前記配線パターンにあたらないように、前記基盤の固体発光素子がマウントされていない部分を隠す反射シートを備えることを特徴とする請求項１に記載のランプ。
【請求項９】
固体発光素子を光源とするランプと、当該ランプが取り付けられ、当該ランプに商用電源からの電力を供給する電気器具とからなる照明装置であって、
前記ランプは、
発光面を上底とするとき、当該上底と略平行な任意の断面の形状が略同一形状である柱形状における、側面に相当する外壁部分と、当該外壁部分により囲まれた空間を２つの部分空間に分割する、当該上底と略平行な仕切り板とを含む、金属製の筐体と、
前記固体発光素子を含み、前記２つの部分空間のうちの、前記上底側の第１部分空間に配置され、前記仕切り板の上底側の面に設置されている発光モジュールと、
前記２つの部分空間のうちの、前記上底とは反対側の第２部分空間に配置され、前記固体発光素子を駆動して発光させる駆動回路と、
前記柱形状における下底、または側面に設置され、前記照明器具に接続される接続端子部と、
前記駆動回路を収納する絶縁ケースとを備え、
前記仕切り板は、前記第１部分空間の方が、前記第２部分空間よりも狭くなる位置に形成されており、
前記第２部分空間が略四角柱形状で、且つ前記絶縁ケースの外形が円筒形であることを特徴とする、照明装置。
【発明の詳細な説明】
【技術分野】
【０００１】
本発明は、駆動回路を内蔵し、ＬＥＤ（発光ダイオード：Light Emitting Diode）やＥＬ（エレクトロルミネセンス：Electroluminescence）等の固体発光素子を光源とするランプに関し、より特定的には、小型のランプにおいて放熱性をより向上させるための技術に関する。
【背景技術】
【０００２】
近年、半導体技術の向上に伴い、固体発光素子を光源とするランプの需要が高まっている。
上記ランプは電力消費量が少なく寿命が長いため、省エネルギー化の促進に大きく貢献するものであり、今後益々普及するものと予想される。
【０００３】
ここで、ＬＥＤ等の発光素子を光源として用い駆動回路を内蔵する従来の電球型ランプが特許文献１に開示されている。
特許文献１の電球型ランプによれば、金属製の外郭部材を備えることにより、点状光源の温度上昇を効果的に抑制でき、さらに小形化を実現できると記載されている。
【先行技術文献】
【特許文献】
【０００４】
【特許文献１】特開２００６−３１３７１７号公報
【発明の概要】
【発明が解決しようとする課題】
【０００５】
ＬＥＤやＥＬ等の固体発光素子は温度の上昇とともに発光効率が低下する傾向があり、放熱性の向上が課題である。
一方、利便性の向上や材料コストの削減等の観点から、固体発光素子を光源とするランプを小型化したいという要望がある。
しかしながら、特許文献１の電球型ランプは、形状を電球型に限定していることも要因となって、小型化の程度の割に十分に放熱性を向上させているとは言い難く、無駄なスペースも多く、まだまだ改善の余地が残っている。
【０００６】
それ故に、本発明の目的は、大きさの割に放熱性を向上させた、固体発光素子を光源とするランプ、及び照明装置を提供することである。詳細には、固体発光素子を光源として用い駆動回路を内蔵するランプにおいて、小形化に適した簡素な形状とし、無駄なスペースを無くして、大きさの割に放熱性を向上させることを目的とする。
【課題を解決するための手段】
【０００７】
本発明は、固体発光素子を光源とするランプに向けられている。そして上記課題を解決するために、本発明の固体発光素子を光源とするランプは、固体発光素子を光源とするランプであって、筐体と、発光モジュールと、駆動回路と、駆動回路を収納する絶縁ケースとを備える。筐体は、発光面を上底とするとき、当該上底と略平行な任意の断面の形状が略同一形状である柱形状における、側面に相当する外壁部分と、当該外壁部分により囲まれた空間を２つの部分空間に分割する、当該上底と略平行な仕切り板とを含み、金属製である。発光モジュールは、固体発光素子を含み、２つの部分空間のうちの、上底側の第１部分空間に配置され、仕切り板の上底側の面に設置されている。駆動回路は、２つの部分空間のうちの、上底とは反対側の第２部分空間に配置され、固体発光素子を駆動して発光させる。仕切り板は、第１部分空間の方が、第２部分空間よりも狭くなる位置に形成されている。第２部分空間は略四角柱形状で、且つ絶縁ケースの外形は円筒形である。
【０００８】
また、固体発光素子を光源とするランプは、筐体において、外壁部分と仕切り板とは、同一の金属材料により一体成形されているとよい。
【０００９】
また、固体発光素子を光源とするランプは、さらに、各種外部電気器具との電気的な接続に寄与する各種接続端子のうちの、少なくとも１つを含む接続端子部を備えるとよい。
また、固体発光素子を光源とするランプにおいて、駆動回路は、電力の供給を受ける１個の入力コネクタを含み、接続端子部は、複数の種類があり、それぞれが各種接続端子のうちの１つを含み、複数種類の前記接続端子部は、工具を用いることなくワンタッチで入力コネクタと接続できる共通の出力コネクタを含むとよい。
【００１０】
また、固体発光素子を光源とするランプにおいて、接続端子部は、ライティングレールに接続されるライティングレール用プラグを含み、複数個の当該ランプを隣接させて、ライティングレールに取り付けることにより、一体化した光源とするとよい。
【００１１】
また、固体発光素子を光源とするランプにおいて、複数個の当該ランプを隣接させて、複数列のライティングレールに取り付けることにより、任意の範囲を略面光源とするとよい。
【００１２】
また、固体発光素子を光源とするランプにおいて、筐体は、上底と略平行な任意の断面の形状が正方形、長方形、菱型、平行四辺形、又は正六角形であり、任意の範囲を略面光源とする際に、隣り合うランプ間において、筐体の外壁部分の一面同士を対面させて近接させることにより、複数個の当該ランプの全てが一体化した光源とするとよい。
【００１３】
また、固体発光素子を光源とするランプにおいて、発光モジュールは、表面に配線パターンを有する基盤上に固体発光素子がマウントされており、当該ランプは、さらに、固体発光素子が発する光のうちの、上底方向とは異なる方向へ向かう光を反射して、上底方向へと向かわせるとともに、固体発光素子が発する光が配線パターンにあたらないように、基盤の固体発光素子がマウントされていない部分を隠す反射シートを備えるとよい。
【００１４】
また上記課題を解決するために、本発明の照明装置は、固体発光素子を光源とするランプと、当該ランプが取り付けられ、当該ランプに商用電源からの電力を供給する電気器具とからなる照明装置である。ランプは、筐体と、発光モジュールと、駆動回路と、接続端子部と、駆動回路を収納する絶縁ケースとを備える。筐体は、発光面を上底とするとき、当該上底と略平行な任意の断面の形状が略同一形状である柱形状における、側面に相当する外壁部分と、当該外壁部分により囲まれた空間を２つの部分空間に分割する、当該上底と略平行な仕切り板とを含み、金属製である。発光モジュールは、固体発光素子を含み、２つの部分空間のうちの、上底側の第１部分空間に配置され、仕切り板の上底側の面に設置されている。駆動回路は、２つの部分空間のうちの、上底とは反対側の第２部分空間に配置され、固体発光素子を駆動して発光させる。接続端子部は、柱形状における下底、または側面に設置され、照明器具に接続される。仕切り板は、第１部分空間の方が、第２部分空間よりも狭くなる位置に形成されている。第２部分空間は略四角柱形状で、且つ絶縁ケースの外形は円筒形である。
【発明の効果】
【００１５】
以上のように、本発明のランプ、及び照明装置においては、発光モジュールが発生する熱を、発光モジュールが設置された筐体の仕切り板を経由して、例えば円柱や角柱のような柱形状における側面に相当する筐体の外壁部分から放熱することができる。ここで、上記柱形状における上底又は下底の一方を発光面とし、残りの全ての面又は全ての側面を金属の放熱面とする。従って、ランプの外形一杯の形状に相当する柱形状における側面のほぼ全てを放熱に寄与させることができるので、大きさの割に放熱性を最大限に向上させることができる。
また、駆動回路を配置する第２部分空間よりも発光モジュールを配置する第１部分空間の方が狭いので、駆動回路の大きさの割に上底から下底までの長さを短くすることができる。
【００１６】
さらに、本発明のランプにおいては、例えば筐体をダイカスト鋳造法により製造するなどして、外壁部分と仕切り板とを同一の金属材料により一体成形することにより、外壁部分と仕切り板との熱伝導性を高めることができる上、組立工数を考えると総合的に見て安く作ることができる。また特に小さくなる程組立が難しくなるので、上記一体成形は小型化に向いている。
【００１７】
さらに、本発明のランプにおいては、各種接続端子のうちの少なくとも１つを含む接続端子部を備えるので、接続端子部以外の構成要素を共通部品とし、接続端子部を選択的に使用することができる。従って、総部品点数を抑えつつ、各種電気器具に接続することができる多種類のランプを提供することができる。
さらに、本発明のランプにおいては、複数種類の接続端子部が共通の出力コネクタを含むので、容易に取り付け、取り外し、及び取替え等ができる。
【００１８】
さらに、本発明のランプにおいては、複数個のランプを隣接させて、１本、又は複数列のライティングレールに取り付けることにより、一体化した光源とすることができ、設置スペースの割に輝度を高めることができる。また個々のランプの輝度を押えて合計の照度を同等にすれば、眼にやさしい眩しくない照明となり、温度の上昇が抑えられて発光効率が向上し寿命も延びる。
【００１９】
さらに、本発明のランプにおいては、筐体の断面の形状を正方形、長方形、菱型、平行四辺形、又は正六角形として隣接させて、複数列のライティングレールに取り付けることにより、ランプ間にまとまった隙間が無い一体化した面光源を構成することができる。
さらに、本発明のランプにおいては、反射板が基盤表面の配線パターンに光があたらないように隠すので、配線パターンに光を吸収されて輝度が低下することがない。また、拡散板等の不透明なカバーを用いない場合でも外観がすっきりし、拡散板による輝度の減衰がなくなり、用途によっては機能美を感じさせるので商品価値が向上する。また、不透明なカバーが不要な分だけ部品コストを削減することもできる。
【図面の簡単な説明】
【００２０】
【図１】第１の実施形態に係る固体発光素子を光源とするランプ１００の外観を示す図
【図２】図１中の一点鎖線において切断したランプ１００のカットモデルの外観を示す図
【図３】（ａ）〜（ｃ）は、発光モジュール１２０におけるＬＥＤ素子の配列方法の具体例を示す図
【図４】電球用のソケットに接続することができる接続端子部を備えるランプ２００を示す図
【図５】一般家庭用の電源ソケットに接続することができる接続端子部を備えるランプ３００を示す図
【図６】一般家庭用の電源ソケットに接続することができる接続端子部を備えるランプ４００を示す図
【図７】ライティングレール用のソケットに接続することができる接続端子部を備えるランプ５００を示す図
【図８】ランプ２００の接続端子２１０、ランプ３００の接続端子３１０、及び、ランプ５００の接続端子５１０のいずれかを、接続端子部以外の構成要素からなる共通部品１８０に取り付ける様子を示す図
【図９】第１の変形例のランプ５００を複数個隣接させて、一本のライティングレール６００に取り付けた様子を示す図
【図１０】第１の変形例のランプ５００を複数個隣接させて、隣接させた複数列のライティングレール６００に取り付けた様子を示す図
【図１１】円柱形状のランプ７００の外観を示す図
【図１２】図１０中の一点鎖線において切断したランプ７００のカットモデルの外観を示す図
【図１３】正六角柱形状のランプ８００の外観を示す図
【図１４】図１２中の一点鎖線において切断したランプ８００のカットモデルの外観を示す図
【発明を実施するための形態】
【００２１】
［第１の実施形態］
＜概要＞
第１の実施形態は、外形が円柱や角柱等の柱形状のランプであって、柱形状の側面に相当する外壁部分と、外壁部分に囲まれた内部空間を上下に二分する仕切り板とを含む金属製の筐体を備え、上底側の内部空間に発光モジュールを設置し、下底側の内部空間に駆動回路を設置するものである。ここで、発光モジュールは、固体発光素子を含み、仕切り板の上底側の面に設置されている。また、仕切り板は、上底側の内部空間の方が、下底側の内部空間よりも狭くなるように上底寄りの位置に形成されている。
【００２２】
このような構成により、発光モジュールが発生する熱が、仕切り板を経由して筐体の外壁部分から放熱される。
ここで、筐体の外壁部分は、ランプの外形形状とほぼ同一であるため、ランプの外形のほぼ全てが放熱に寄与するので、大きさの割に放熱性が最大限に向上する。
また、駆動回路を配置する下底側の内部空間よりも発光モジュールを配置する上底側の内部空間の方が狭いので、駆動回路の大きさの割に上底から下底までの長さが短くなる。
【００２３】
＜構成＞
図１は、第１の実施形態に係る固体発光素子を光源とするランプ１００の外観を示す図である。また図２は、図１中の一点鎖線において切断したランプ１００のカットモデルの外観を示す図である。
図１、２に示すように、第１の実施形態に係るランプ１００は、固体発光素子を光源とし駆動回路を内蔵する各辺が１５ｍｍから３０ｍｍ程度の四角柱形状のランプであり、筐体１１０、発光モジュール１２０、駆動回路１３０、反射シート１４０、拡散シート１５０、絶縁ケース１６０、及び接続端子部１７０を備える。
【００２４】
筐体１１０は、発光面（図１、２では、拡散板１５０が嵌め込まれている上側の面）を上底とするとき、四角柱形状における側面に相当する外壁部分１１１と、外壁部分により囲まれた空間を２つの部分空間に分割する、上底と略平行な仕切り板１１２とを含み、アルミ等の熱伝導性を有する金属により形成されている。また、仕切り板１１２により分割された２つの部分空間のうちの、上底側を第１部分空間とし、上底とは反対側を第２部分空間とするとき、仕切り板１１２は、第１部分空間の方が、２部分空間よりも狭くなるように上底寄りの位置に形成されている。また仕切り板１１２には、発光モジュール１２０と駆動回路１３０とを接続するための配線用の貫通孔を設けている。ここで筐体１１０は、拡散シート１５０の主面を垂直に切断するあらゆる断面の形状が「Ｈ」の形になる。
【００２５】
ここで、外壁部分１１１と仕切り板１１２とは、同一又は異なる金属部材により別々に形成した後で組み合わせて形成してもよいし、例えばアルミ合金、亜鉛合金、及びマグネシウム合金などの同一の金属部材を用いてダイカスト鋳造法により一体成形してもよい。特に外壁部分１１１と仕切り板１１２とを一体成形する場合には、外壁部分と仕切り板との熱伝導性を高めることができる上、組立工数を考えると総合的に見て安く作ることができる。また小さくなる程組立が難しくなるので、外壁部分１１１と仕切り板１１２との一体成形は小型化に向いている。
【００２６】
なお、筐体１１０の形状は、本実施形態では四角柱形状であるが、これに限られるものではなく、上底と略平行な任意の断面の形状が全て略同一形状となるような柱形状であればよい。柱形状の代表的な例としては、上記断面の形状が円や楕円である円柱、上記断面の形状が正方形、長方形、菱型、及び平行四辺形などの四角形である四角柱、上記断面の形状が六角形である六角柱などが考えられる。
【００２７】
発光モジュール１２０は、駆動回路１３０により駆動されて発光するＬＥＤやＥＬ等の固体発光素子を、１つ又は複数まとめてユニット化した照明用のモジュールであり、表面に配線パターンを有する基盤１２１上に、１つ又は複数の固体発光素子１２２がマウントされている。また、発光モジュール１２０は、上述の第１部分空間に配置され、仕切り板１１２の上底側の面に設置されている。
【００２８】
なお、発光モジュール１２０は赤、緑、又は青等の単色を発光するＬＥＤやＥＬをユニット化したものであってもよいし、これらの各色のＬＥＤやＥＬを適宜組み合わせて、白色や他の任意の色を発光するものであってもよい。また、発光モジュール１２０は、ＬＥＤの周りに蛍光物質をモールドして、白色や他の任意の色を発光するものであってもよい。例えば、発光モジュール１２０は、青を発光するＬＥＤの周りに、青を青の補色に変換する蛍光物質をモールドし、白色を発光するものであってもよい。
【００２９】
また、発光モジュール１２０は、ＬＥＤ素子を一次実装したモジュール基板に波長変換部材を搭載する形態、及びＬＥＤ素子と蛍光体からなるパッケージをモジュール基板に２次実装する形態であってもよい。
また、色温度の異なる白色ＬＥＤを適宜組み合わせることも可能である。また黒体軌跡上で調色することも可能である。
なお、発光モジュール１２０において蛍光体粒子による拡散効果を高めることにより、反射シート１４０や拡散板１５０を不要とすることも可能である。
また、発光モジュール１２０とは別に、反射シート１４０や拡散板１５０の位置に、蛍光体粒子を含ませた部材を配置して、拡散効果を得ることもできる。
【００３０】
図３（ａ）〜（ｃ）は、発光モジュール１２０におけるＬＥＤ素子の配列方法の具体例を示す図である。
図３（ａ）に示すように、例えば、発光モジュール１２０は、高輝度の３個のＬＥＤ１２３を５〜１５ｍｍ程度の間隔で３角形に配置する。また、図３（ｂ）に示すように、例えば、発光モジュール１２０は、やや高輝度の２２個のＬＥＤ１２４を２次元的に配置する。また、図３（ｃ）に示すように、例えば、発光モジュール１２０は、小型の７２個のＬＥＤ１２５を２次元的に密集させて１０〜１５ｍｍ角程度の四角形に配置する。
【００３１】
駆動回路１３０は、発光モジュール１２０の点灯に適した電力を出力する電子回路であり、回路部品１３１、及び回路基盤１３２を含み、上述の第２部分空間に配置される。
反射シート１４０は、底面が四角形の角錐台のような形状であり、固体発光素子１２２が発する光のうちの、上底へ向かう方向とは異なる方向へ向かう光を反射して、上底へ向かわせるとともに、固体発光素子１２２が発する光が基盤１２１上の配線パターンにあたらないように、基盤１２１の固体発光素子１２２がマウントされていない部分を隠している。
【００３２】
拡散板１５０は、通過する光の進む方向をバラバラの方向に変えて拡散させ、輝度のムラを軽減する拡散膜が形成された透光性の有る樹脂製やガラス製のカバーであり、固体発光素子１２２が発する光、及び反射シート１４０により反射されて到達した光を拡散する。また拡散板１５０は、筐体１１０の上底の形状と同様な形状の板であり、上底よりも枠の分だけ数ｍｍ程小さくなる。本実施形態では、筐体１１０が四角柱形状なので、拡散板１５０の形状は上底の形状と同様な四角形の板になる。なお、輝度のムラが問題とならないような用途に用いる場合や、図３（ｃ）に示すように発光モジュール１２０が面発光であるような場合等においては、拡散板１５０は不要である。
【００３３】
絶縁ケース１６０は、主に駆動回路１３０と筐体１１０との間に、意図しない電気的な接触が起こらないように、上述の第２部分空間の内面に配置された、樹脂等の非導電性の容器である。
なお、駆動回路１３０側に、筐体１１０と電気的な接触が起こらないように絶縁対策を施しているような場合には、絶縁ケース１６０は不要である。
また、本実施形態では筐体１１０の第２部分空間がほぼ四角柱形状であるのに対して、絶縁ケース１６０の外形を円筒形にして、筐体１１０と絶縁ケース１６０との間に空間を作ることにより、筐体１１０からの熱を駆動回路１３０に伝わり難くして、駆動回路１３０への熱負担を軽減し、駆動回路１３０の耐久性の向上を図っている。さらに、絶縁ケース１６０を特に熱伝導率の低い材料を用いて作成したり、絶縁ケース１６０の内部に気泡や空洞を設けること等により、筐体１１０の熱を駆動回路１３０に伝わり難くすることもできる。
【００３４】
接続端子部１７０は、各種外部電気器具との電気的な接続に寄与する各種接続端子のうちの少なくとも１つを含み、接続端子の一種である配線接続用のコネクタ１７１、各種接続端子と回路基盤１３２とを電気的に接続する接続ケーブル１７２、及び、筐体１１０の下底に相当する部分を塞ぐ裏ブタ１７３を含む。ここで、各種外部電気器具とは、例えば、配線接続用のコネクタや電球用のソケット等を備えるペンダント型の照明器具、ライティングレール等の壁面固定型の照明器具、及び一般家庭用の電源ソケット等である。なお、他の各種接続端子の詳細については第１〜３の変形例において説明する。
ここで、接続端子部１７０以外の構成要素を共通部品とし、各種接続端子部を選択的に使用することができる。このようにすることで、部品点数をさほど増やすことなく、総部品点数の割に各種電気器具に接続することができる多種類のランプを製造することができる。
【００３５】
［第１の変形例］
第１の変形例では、各種接続端子を備える接続端子部の詳細を示す。なお、ここで第１の実施形態のランプ１００と同様の構成要素には同一番号を付し、その説明を省略する。
図４は、電球用のソケットに接続することができる接続端子部を備えるランプ２００を示す図である。
図４に示すように、ランプ２００は、ランプ１００の接続端子部１７０の代わりに接続端子部２１０を備え、接続端子部２１０は、接続端子部１７０において、配線接続用のコネクタ１７１が、一般電球用の口金２１１に置き換わったものである。
【００３６】
以上のようにランプ２００は、電球用の口金を含む接続端子部２１０を備えるので、従来の白熱電球や電球型蛍光ランプの代替品として簡単に取り替えることができ、その利用価値は高い。
なお、ランプ２００は外形が四角柱でありながら、接続端子部２１０がねじ込み式なので、回転方向の停止位置が定まらず、見た目が悪くなることがある。そこで、接続端子部２１０と筐体１１０との間に、回転方向の角度を９０度以上調整することができる機構を設けて、回転方向の停止位置を微調整できるようにしてもよい。また、ランプ２００の外形を円柱形状のように回転方向が問題にならない形状にすれば、回転方向の停止位置を微調整する必要がない。
また、ランプ２００は、一般電球用の口金を備えるものとしたが、例えばハロゲン電球等の他の電球用の口金を備えるものであってもよい。
【００３７】
図５、６は、一般家庭用の電源ソケットに接続することができる接続端子部を備えるランプ３００、４００を示す図である。
図５に示すように、ランプ３００は、接続端子部１７０の代わりに接続端子部３１０（図示せず）を備え、接続端子部３１０は、接続端子部１７０において、配線接続用のコネクタ１７１が、一般家庭用の差込プラグ３１１に置き換わったものである。
また、ランプ４００は、接続端子部１７０の代わりに接続端子部４１０（図示せず）を備え、接続端子部４１０は、接続端子部１７０において配線接続用のコネクタ１７１が、一般家庭用の差込プラグ４１１に置き換わったものである。
【００３８】
ここでランプ３００とランプ４００との違いは、差込プラグが取付けられている場所のみであり、ランプ３００は下底に差込プラグ３１１を配置し、ランプ４００は側面に差込プラグ４１１を配置している。ここで、ランプ３００の下底は、少なくとも差込プラグ３１１の周辺が樹脂等の非導電性の部材である。またランプ４００における側面のうち、差込プラグ４１１の周辺を、金属製とせずに樹脂等の非導電性部材４１２に置き換えている。
以上のようにランプ３００、４００は、一般家庭用の電源ソケットにそのまま接続することができるので、部屋の壁面に設置されている電源ソケットに取り付けて、足元灯や間接照明として利用することが可能である。また、市販の延長ソケットを用いれば、簡単にどこにでも照明を設置することができ、その利用価値は極めて高い。
【００３９】
図７は、ライティングレールに直に設置することができる接続端子部を備えるランプ５００を示す図である。
図７に示すように、ランプ５００は、接続端子部１７０の代わりに接続端子部５１０（図示せず）を備え、接続端子部５１０は、接続端子部１７０において、配線接続用のコネクタ１７１が、ライティングレール用の直付け金具５１１に置き換わったものである。
以上のようにランプ５００は、ライティングレール用の直付け金具５１１を備えるので、ライティングレール上にコンパクトに設置することができ、利便性やデザイン性に優れている。
なお、例えばランプ２００、３００、５００は、それぞれが各種接続端子のうちの少なくとも１つを含む各接続端子部を備え、接続端子部以外の構成要素が同一なのでこれを共通部品とし、接続端子部を選択的に使用してもよい。
図８は、ランプ２００の接続端子２１０、ランプ３００の接続端子３１０、及び、ランプ５００の接続端子５１０のいずれかを、接続端子部以外の構成要素からなる共通部品１８０に取り付ける様子を示す図である。
接続端子部を選択的に使用する場合には、図８に示すように、共通部品１８０中の駆動回路１３０が電力の供給を受ける１個の入力コネクタ１８１を含み、接続端子２１０、３１０、５１０が、それぞれ工具を用いることなく素手によりワンタッチで入力コネクタ１８１と接続できる共通の出力コネクタ１８２を含む構成とすることができる。このような構成にすることにより、接続端子部の取り付け、取り外し、及び取替え等が容易となる。
従って、総部品点数を抑えつつ、各種電気器具に接続することができる多種類のランプを提供することができる。
【００４０】
［第２の変形例］
第２の変形例は、複数個のランプを隣接させて一本のライティングレールに取り付けたものである。
図９は、第１の変形例のランプ５００を複数個隣接させて、一本のライティングレール６００に取り付けた様子を示す図である。
図９に示すように、複数個のランプ５００を隣接させてライティングレール６００に取り付けることにより、線状に一体化した光源を形成することができ、設置スペースの割に容易に輝度を高めることができる。
また個々のランプの輝度を押えて合計の照度を同等にすれば、眼にやさしい眩しくない照明となり、温度の上昇が抑えられて発光効率が向上し、ランプ自体の寿命も延びる。
【００４１】
［第３の変形例］
第３の変形例は、複数個のランプを隣接させて複数列のライティングレールに取り付けたものである。
図１０は、第１の変形例のランプ５００を複数個隣接させて、隣接させた複数列のライティングレール６００に取り付けた様子を示す図である。
図１０に示すように、複数個のランプ５００を隣接させて、適宜隣接させた複数列のライティングレール６００に取り付け、隣り合うランプ５００の間において、筐体の外壁部分の一面同士を対面させて近接させることにより、まとまった隙間を空けることなく、複数個の当該ランプ５００の全てが面状に一体化した光源を形成することができ、設置スペースのほぼ全てを照射面にすることができる。
【００４２】
なお、本変形例では、上底の形状が正方形である四角柱であるが、上底の形状が長方形、菱型、平行四辺形、又は正六角形であっても、上底の形状が正方形である場合と同様に、まとまった隙間を空けることなく、複数個の当該ランプ５００の全てが面状に一体化した光源を形成することができ、設置スペースのほぼ全てを照射面にすることができる。
【００４３】
［第４の変形例］
第１の実施形態おいてランプ１００の形状は四角柱であったが、上底と略平行な任意の断面の形状が略同一形状である柱形状であれば、他の形状であってもよい。第４の変形例では、円柱形状のランプ７００と正六角柱形状のランプ８００の例を示す。なお、ここで第１の実施形態のランプ１００と同様の構成要素には同一番号を付し、その説明を省略する。
図１１は、円柱形状のランプ７００の外観を示す図である。また図１２は、図１１中の一点鎖線において切断したランプ７００のカットモデルの外観を示す図である。
図１１、１２に示すように、円柱形状のランプ７００の構成は、外形が円柱になった点を除けば、第１の実施形態おけるランプ１００と同様である。
【００４４】
詳細には、ランプ１００の筐体１１０が筐体７１０に置き換わり、ランプ１００の反射シート１４０が反射シート７４０に置き換わり、ランプ１００の拡散板１５０が拡散板８５０に置き換わっている。
筐体７１０は、発光面（図１１、１２では、拡散板７５０が嵌め込まれている上側の面）を上底とするとき、円柱形状における側面に相当する外壁部分７１１と、外壁部分により囲まれた空間を２つの部分空間に分割する、上底と略平行な仕切り板７１２とを含む。  ここで、筐体７１０の形状以外の特徴は、筐体１１０と同様である。
反射シート７４０は、底面が円形の円錐台のような形状であり、形状以外の特徴は反射シート１４０と同様である。
拡散板７５０は、円形の板形状であり、形状以外の特徴は拡散板１５０と同様である。
【００４５】
図１３は、正六角柱形状のランプ８００の外観を示す図である。また図１４は、図１２中の一点鎖線において切断したランプ８００のカットモデルの外観を示す図である。
図１３に示すように、正六角柱形状のランプ８００の構成は、外形が正六角形になった点を除けば、第１の実施形態おいてランプ１００と同様である。
詳細には、ランプ１００の筐体１１０が筐体８１０に置き換わり、ランプ１００の反射シート１４０が反射シート８４０に置き換わり、ランプ１００の拡散板１５０が拡散板８５０に置き換わっている。
【００４６】
筐体８１０は、発光面（図１３、１４では、拡散板８５０が嵌め込まれている上側の面）を上底とするとき、円柱形状における側面に相当する外壁部分８１１と、外壁部分により囲まれた空間を２つの部分空間に分割する、上底と略平行な仕切り板８１２とを含む。  ここで、筐体８１０の形状以外の特徴は、筐体１１０と同様である。
反射シート８４０は、底面が六角形の角錐台のような形状であり、形状以外の特徴は反射シート１４０と同様である。
拡散板８５０は、六角形の板形状であり、形状以外の特徴は拡散板１５０と同様である。
【００４７】
＜まとめ＞
以上説明したように、第１の実施形態、及び、第１〜４の変形例のランプによれば、発光モジュールが発生する熱を、仕切り板を経由して筐体の外壁部分から放熱することができる。
ここで、筐体の外壁部分は、ランプの外形形状とほぼ同一であるため、ランプの外形のほぼ全てを放熱に寄与させることができるので、大きさの割に放熱性を最大限に向上させることができる。
【００４８】
また、駆動回路を配置する下底側の内部空間よりも発光モジュールを配置する上底側の内部空間の方が狭いので、駆動回路の大きさの割に上底から下底までの長さを短くすることができる。
従って、大きさの割に放熱性を向上させることができる。
なお、矛盾しない限り、第１の実施形態、及び、第１〜４の変形例を適宜組み合わせてもよい。
【産業上の利用可能性】
【００４９】
本発明のランプは、大きさの割に放熱性を最大限に向上させることができるので、例えば一般家庭用の照明や外灯等の、あらゆる照明機器に適用できる。特に、本発明のランプは、発光モジュールに起因して発生する熱を、筐体の仕切り板を経由して筐体の柱形状の外壁部分から外部へ放熱するため、ランプの外形一杯の形状である側面のほぼ全てを放熱に寄与させることができ、その産業的利用価値は極めて高い。
【符号の説明】
【００５０】
１００    ランプ
１１０    筐体
１１１    外壁部分
１１２    仕切り板
１２０    発光モジュール
１２１    基盤
１２２    固体発光素子
１２３、１２４、１２５    ＬＥＤ
１３０    駆動回路
１３１    回路部品
１３２    回路基盤
１４０    反射シート
１５０    拡散板
１６０    絶縁ケース
１７０    接続端子部
１７１    配線接続用のコネクタ
１７２    接続ケーブル
１７３    裏ブタ
１８０    共通部品
１８１    入力コネクタ
１８２    出力コネクタ
２００    ランプ
２１０    接続端子部
２１１    一般電球用の口金
３００    ランプ
３１０    接続端子部
３１１    差込プラグ
４００    ランプ
４１０    接続端子部
４１１    差込プラグ
４１２    非導電性部材
５００    ランプ
５１０    接続端子部
５１１    ライティングレール用の直付け金具
６００    ライティングレール
７００    ランプ
７１０    筐体
７１１    外壁部分
７１２    仕切り板
７４０    反射シート
７５０    拡散板
８００    ランプ
８１０    筐体
８１１    外壁部分
８１２    仕切り板
８４０    反射シート
８５０    拡散板
【図１】
0005511493.tif 000002
【図２】
0005511493.tif 000003
【図３】
0005511493.tif 000004
【図４】
0005511493.tif 000005
【図５】
0005511493.tif 000006
【図６】
0005511493.tif 000007
【図７】
0005511493.tif 000008
【図８】
0005511493.tif 000009
【図９】
0005511493.tif 000010
【図１０】
0005511493.tif 000011
【図１１】
0005511493.tif 000012
【図１２】
0005511493.tif 000013
【図１３】
0005511493.tif 000014
【図１４】
0005511493.tif 000015